(57)【要約】【課題】構造が簡単で、大量生産に適した防雨ルーバーを提供すること。【解決手段】階段の蹴上げに対応する第一面３２と、階段の踏み面に対応する第二面３３とが、それぞれ複数個ずつ交互になるようにして配置されて、その裏面全体が傾斜面２１の表面全体に接合される階段状ブロック体１２と、前記傾斜面２１の内側に位置する一端全体にわたってその下端全体が連続するようにして接続されて上方に延びる第一の壁面２３と、前記第一の壁面２３の上端全体にわたってその内側に位置する一端全体が連続するようにして接続されて外方に延びる第二の壁面２４と、を備えた羽根体１３が、上下方向に複数個積み重ねるようにして配置されている。【選択図】図４
2013139674.tif 000002
【特許請求の範囲】
【請求項１】
階段の蹴上げに対応する第一面と、階段の踏み面に対応する第二面とが、それぞれ複数個ずつ交互になるようにして配置されて、その裏面全体が傾斜面の表面全体に接合される階段状ブロック体、または階段の蹴上げに対応する第一面と、階段の踏み面に対応する第二面とが、それぞれ複数個ずつ交互になるようにして形成された階段面と、
前記傾斜面または前記第二面の内側に位置する一端全体にわたってその下端全体が連続するようにして接続されて上方に延びる第一の壁面と、
前記第一の壁面の上端全体にわたってその内側に位置する一端全体が連続するようにして接続されて外方に延びる第二の壁面と、を備えた羽根体が、上下方向に複数個積み重ねるようにして配置されていることを特徴とする防雨ルーバー。
【請求項２】
水平面に対する雨水の入射角度をθｉｎ、前記第二面と水平面とのなす小さい方の角度をθ０、前記傾斜面と水平面とのなす小さい方の角度をθとした場合に、前記第二面が、
θｉｎ＋２×θ０≦θという関係式を満たすように傾斜させられていることを特徴とする請求項１に記載の防雨ルーバー。
【請求項３】
前記傾斜面または前記第二面の外側に位置する一端全体にわたってその上端全体が連続するようにして接続されて下方に延びる第三の壁面と、
前記第三の壁面の下端全体にわたってその外側に位置する一端全体が連続するようにして接続されて内方に延びる第四の壁面と、を備えていることを特徴とする請求項１または２に記載の防雨ルーバー。
【請求項４】
請求項１から３のいずれか一項に記載の防雨ルーバーを具備していることを特徴とする風力発電用風車。
【請求項５】
階段の蹴上げに対応する第一面と、階段の踏み面に対応する第二面とが、それぞれ複数個ずつ交互になるようにして配置された階段状ブロック体の裏面全体が、その表面全体に接合される傾斜面、または階段の蹴上げに対応する第一面と、階段の踏み面に対応する第二面とが、それぞれ複数個ずつ交互になるようにして形成された階段面と、
前記傾斜面または前記第二面の内側に位置する一端全体にわたってその下端全体が連続するようにして接続されて上方に延びる第一の壁面と、
前記第一の壁面の上端全体にわたってその内側に位置する一端全体が連続するようにして接続されて外方に延びる第二の壁面と、を備えたルーバー本体が、一方向に沿って複数個連なるようにして一体成形された成形体を作製した後、
隣り合うルーバー本体同士を連結している連結部材を切り離し、前記成形体を複数個に分離されたルーバー本体にして、これら複数個の羽根体を、上下方向に積み重ねるようにして配置し、平面視矩形状を呈するフレームを介して結合するようにしたことを特徴とする防雨ルーバーの製造方法。
【発明の詳細な説明】
【技術分野】
【０００１】
本発明は、雨水等の浸入を防ぎ、かつ、通気性を確保することができるように構成された防雨ルーバーに関するものである。
【背景技術】
【０００２】
雨水等の浸入を防ぎ、かつ、通気性を確保することができるように構成された防雨ルーバーとしては、例えば、特許文献１に開示されたものが知られている。
【先行技術文献】
【特許文献】
【０００３】
【特許文献１】特許第４６２１２７７号公報
【発明の概要】
【発明が解決しようとする課題】
【０００４】
しかしながら、上記特許文献１に開示された防雨ルーバーは、構造が複雑で、大量生産に不向きであり、製造コストが嵩んでしまうといった問題点があった。
【０００５】
本発明は、上記の事情に鑑みてなされたもので、構造が簡単で、大量生産に適した防雨ルーバーを提供することを目的とする。
【課題を解決するための手段】
【０００６】
本発明は、上記課題を解決するため、以下の手段を採用した。
本発明に係る防雨ルーバーは、階段の蹴上げに対応する第一面と、階段の踏み面に対応する第二面とが、それぞれ複数個ずつ交互になるようにして配置されて、その裏面全体が傾斜面の表面全体に接合される階段状ブロック体、または階段の蹴上げに対応する第一面と、階段の踏み面に対応する第二面とが、それぞれ複数個ずつ交互になるようにして形成された階段面と、前記傾斜面または前記第二面の内側に位置する一端全体にわたってその下端全体が連続するようにして接続されて上方に延びる第一の壁面と、前記第一の壁面の上端全体にわたってその内側に位置する一端全体が連続するようにして接続されて外方に延びる第二の壁面と、を備えた羽根体が、上下方向に複数個積み重ねるようにして配置されている。
【０００７】
本発明に係る防雨ルーバーによれば、羽根体を構成するルーバー本体が、階段状ブロック体の裏面全体がその表面全体に接合される傾斜面、または階段面と、第一の壁面と、第二の壁面とを備えたシンプルな形状となるので、構造が簡単で、大量生産に適した防雨ルーバーを提供することができる。
また、第二面で跳ね返った（反射された）雨水等は、例えば、図６に示すように、当該第二面の上方に位置する第一面に衝突して、当該第一面の外側（手前側）に跳ね返され、最も上方に位置する第二面で跳ね返った（反射された）雨水等は、例えば、図６に示すように、当該第二面の上方に位置する第一の壁面に衝突して、当該第一の壁面の外側（手前側）に跳ね返されるとともに、当該第一の壁面に沿って上方に駆け上がった雨水等は、当該第一の壁面の上方に位置する第二の壁面に衝突して、当該第二の壁面の下側（下方）に跳ね返されることになる。そして、通風口からは、空気のみが取り入れられることになり、通風口からの雨水等の進入を防止することができる。
【０００８】
上記防雨ルーバーにおいて、水平面に対する雨水の入射角度をθｉｎ、前記第二面と水平面とのなす小さい方の角度をθ０、前記傾斜面と水平面とのなす小さい方の角度をθとした場合に、前記第二面が、θｉｎ＋２×θ０≦θという関係式を満たすように傾斜させられているとさらに好適である。
【０００９】
このような防雨ルーバーによれば、水平面に対する雨水等の入射角度（進入角度）が、例えば、３０°以下の非常に小さい場合でも、第二面で跳ね返った（反射された）雨水等を、当該第二面の上方に位置する第一面に最も効果的に衝突させることができて、通風口からの雨水等の進入をより確実に防止することができる。
【００１０】
上記防雨ルーバーにおいて、前記傾斜面または前記第二面の外側に位置する一端全体にわたってその上端全体が連続するようにして接続されて下方に延びる第三の壁面と、前記第三の壁面の下端全体にわたってその外側に位置する一端全体が連続するようにして接続されて内方に延びる第四の壁面と、を備えているとさらに好適である。
【００１１】
このような防雨ルーバーによれば、例えば、図１３に示すように、第一の壁面２３の下方に位置して前後方向（水平方向）および左右方向（幅方向：横方向）に延びる第四の壁面２５の先端と、第二の壁面２４の先端との間に部分的に、階段状ブロック体１２または階段面８１が設けられることになる。
これにより、階段状ブロック体または階段面が設けられる範囲を狭くすることができて、製造コストを低減させることができる。
【００１２】
本発明に係る風力発電用風車は、上記いずれかの防雨ルーバーを具備している。
【００１３】
本発明に係る風力発電用風車によれば、上記いずれかの防雨ルーバーが、高所に配置されて風速が速くなり、雨水等の入射角度（進入角度）が小さくなるナセルに適用された場合でも、通風口からの雨水等の進入をより確実に防止することができ、ナセルの内部に配置された各種機器に雨水等がかからないようにすることができる。
【００１４】
本発明に係る防雨ルーバーの製造方法は、階段の蹴上げに対応する第一面と、階段の踏み面に対応する第二面とが、それぞれ複数個ずつ交互になるようにして配置された階段状ブロック体の裏面全体が、その表面全体に接合される傾斜面、または階段の蹴上げに対応する第一面と、階段の踏み面に対応する第二面とが、それぞれ複数個ずつ交互になるようにして形成された階段面と、前記傾斜面または前記第二面の内側に位置する一端全体にわたってその下端全体が連続するようにして接続されて上方に延びる第一の壁面と、前記第一の壁面の上端全体にわたってその内側に位置する一端全体が連続するようにして接続されて外方に延びる第二の壁面と、を備えたルーバー本体が、一方向に沿って複数個連なるようにして一体成形された成形体を作製した後、隣り合うルーバー本体同士を連結している連結部材を切り離し、前記成形体を複数個に分離されたルーバー本体にして、これら複数個のルーバー本体を、上下方向に積み重ねるようにして配置し、平面視矩形状を呈するフレームを介して結合するようにした。
【００１５】
本発明に係る防雨ルーバーの製造方法によれば、一度に複数個作製されたルーバー本体を、上下方向に積み重ねるようにして配置し、平面視矩形状を呈するフレームを介して結合するだけで防雨ルーバーを簡単に作製することができる。
【発明の効果】
【００１６】
本発明に係る防雨ルーバーによれば、羽根体を構成するルーバー本体が、階段状ブロック体の裏面全体がその表面全体に接合される傾斜面、または階段面と、第一の壁面と、第二の壁面とを備えたシンプルな形状となるので、構造が簡単で、大量生産に適した防雨ルーバーを提供することができるという効果を奏する。
【図面の簡単な説明】
【００１７】
【図１】本発明の第１実施形態に係る防雨ルーバーを具備した風力発電用風車の概略を示す側面図である。
【図２】図１に示す風力発電用風車のナセルを斜め下方から見た斜視図である。
【図３】図１に示す風力発電用風車のナセルを、図２とは異なる別の角度から見た斜視図である。
【図４】本発明の第１実施形態に係る防雨ルーバーの断面図である。
【図５】図４の一部を拡大して示す図であって、雨水等の侵入角度と、雨水等の跳ね返りの角度と、とを説明するための図である。
【図６】本発明の第１実施形態に係る防雨ルーバーの断面図であって、本願発明の作用効果を説明するための図である。
【図７】本発明の第１実施形態に係る防雨ルーバーの製造工程を説明するための図である。
【図８】本発明の第１実施形態に係る防雨ルーバーの製造工程を説明するための図である。
【図９】本発明の第１実施形態に係る防雨ルーバーの製造工程を説明するための図である。
【図１０】本発明の第２実施形態に係る防雨ルーバーの製造工程を説明するための図である。
【図１１】本発明の第２実施形態に係る防雨ルーバー、および本実施形態に係る防雨ルーバーの製造工程を説明するための図である。
【図１２】本発明の他の実施形態に係る防雨ルーバーの一部を拡大して示す断面図である。
【図１３】本発明の別の実施形態に係る防雨ルーバーの断面図である。
【発明を実施するための形態】
【００１８】
〔第１実施形態〕
以下、本発明の第１実施形態に係る防雨ルーバーについて、図１から図９を参照しながら説明する。
図１は本実施形態に係る防雨ルーバーを具備した風力発電用風車の概略を示す側面図、図２は図１に示す風力発電用風車のナセルを斜め下方から見た斜視図、図３は図１に示す風力発電用風車のナセルを、図２とは異なる別の角度から見た斜視図、図４は本実施形態に係る防雨ルーバーの断面図、図５は図４の一部を拡大して示す図であって、雨水等の侵入角度と、雨水等の跳ね返りの角度と、とを説明するための図、図６は本実施形態に係る防雨ルーバーの断面図であって、本願発明の作用効果を説明するための図、図７は本実施形態に係る防雨ルーバーの製造工程を説明するための図、図８は本実施形態に係る防雨ルーバーの製造工程を説明するための図、図９は本実施形態に係る防雨ルーバーの製造工程を説明するための図である。
【００１９】
図１から図３の少なくとも一図に示すように、風力発電用風車１は、基礎２上に立設される支柱（タワー）３と、支柱３の上端に設置されるナセル４と、略水平な軸線周りに回転可能にしてナセル４に設けられるローターヘッド５と、ローターヘッド５の回転軸線周りに放射状に取り付けられた複数枚、例えば、３枚の風車回転翼６とを備えている。そして、ローターヘッド５の回転軸線方向から風車回転翼６にあたった風の力が、ローターヘッド５を回転軸線周りに回転させる動力に変換されるようになっている。
【００２０】
ナセル４の上部には、周辺の風速値を測定する風速計７と、風向を測定する風向計８と、避雷針（図示せず）とが備えられている。
ナセル４の内部には、いずれも図示を省略しているが、ローターヘッド５と同軸の増速機を介して連結された発電機が設置されている。すなわち、ローターヘッド５の回転を増速機で増速して発電機を駆動することにより、発電機より発電機出力が得られるようになっている。
なお、図２および図３中の符号１０は、本実施形態に係る防雨ルーバーを示している。
【００２１】
図４から図９の少なくとも一図に示すように、本実施形態に係る防雨ルーバー１０は、ルーバー本体１１と、階段状ブロック体１２とをそれぞれ１個ずつ備えた羽根体１３が、上下方向（あるいは鉛直方向）に複数個（本実施形態では８個）積み重ねるようにして構成されたものである。
【００２２】
ルーバー本体１１は、傾斜面２１と、傾斜面２１の下方に位置して上下方向（鉛直方向：縦方向）および左右方向（幅方向：横方向）に延びる第三の壁面２２と、傾斜面２１の上方に位置して上下方向（鉛直方向：縦方向）および左右方向（幅方向：横方向）に延びる第一の壁面２３と、第一の壁面２３の上方に位置して前後方向（水平方向）および左右方向（幅方向：横方向）に延びる第二の壁面２４とを備えている。
【００２３】
傾斜面２１は、図５に示すように、水平面Ｈに対して所定の角度（本実施形態ではθ＝４５°）傾斜するとともに、平面視横長の長方形状を呈する（薄）板状の部材である。
第三の壁面２２は、傾斜面２１の下端全体にわたってその上端全体が連続するようにして接続されるとともに、平面視横長の長方形状を呈する（薄）板状の部材である。
【００２４】
第一の壁面２３は、（第一の）傾斜面２１の上端全体にわたってその下端全体が連続するようにして接続されるとともに、平面視横長の長方形状を呈する（薄）板状の部材である。
第二の壁面２４は、第一の壁面２３の上端全体にわたってその内側（奥側）に位置する一端（内側端：内方端）全体が連続するようにして接続されるとともに、平面視横長の長方形状を呈する（薄）板状の部材である。また、第二の壁面２４は、第一の壁面２３とのなす小さい方の角度が所定の角度（本実施形態ではθ１＝９０°）になるようにして接続されている。
【００２５】
階段状ブロック体１２は、図９に示すように、ルーバー本体１１の傾斜面２１と合致するようにして形成された（第二の）傾斜面３１の上に、階段の「蹴上げ」に対応する第一面３２と、階段の「踏み面」に対応する第二面３３とが、それぞれ複数個（本実施形態では５個）ずつ交互になるようにして配置された中実の部材である。
【００２６】
第一面３２は、第二面３３の外側（手前側）に位置する一端（外側端：外方端）全体にわたってその上端全体が連続するようにして接続され、傾斜面３１の下端全体、または第二面３３の内側（奥側）に位置する他端（内側端：内方端）全体にわたってその下端全体が連続するようにして接続されている。また、第一面３２は、図５に示すように、傾斜面３１とのなす小さい方の角度が所定の角度（本実施形態ではθ２＝９０°）になるようにして接続されている。
【００２７】
第二面３３は、第一面３２の上端全体にわたってその外側（手前側）に位置する一端（外側端：外方端）全体が連続するようにして接続され、傾斜面３１の上端全体、または第一面３２の下端全体にわたってその内側（奥側）に位置する他端（内側端：内方端）全体が連続するようにして接続されている。また、第二面３３は、図５に示すように、水平面Ｈとのなす小さい方の角度が所定の角度θ０になるようにして第一面３２と接続されている。
【００２８】
ここで、水平面Ｈに対する雨水等の入射角度（進入角度）をθｉｎ、第二面３３で跳ね返った（反射された）雨水等の水平面Ｈに対する出射角度（反射角度）をθｏｕｔとすると、幾何学的にθｏｕｔ＝θｉｎ＋２×θ０という式が導き出される。また、θｏｕｔがθ以下のとき、すなわち、θｉｎ＋２×θ０≦θであれば、図６に示すように、第二面３３で跳ね返った（反射された）雨水等は、当該第二面３３の上方に位置する第一面３２に衝突して、当該第一面３２の外側（手前側）に跳ね返されることになる。
【００２９】
例えば、θ＝４５°、θｉｎ＝０°のとき、θ０≦２２．５°であれば、第二面３３で跳ね返った（反射された）雨水等は、当該第二面３３の上方に位置する第一面３２に衝突して、当該第一面３２の外側（手前側）に跳ね返されることになる。
また、θ＝４５°、θｉｎ＝５°のとき、θ０≦２０°であれば、第二面３３で跳ね返った（反射された）雨水等は、当該第二面３３の上方に位置する第一面３２に衝突して、当該第一面３２の外側（手前側）に跳ね返されることになる。
さらに、θ＝４５°、θｉｎ＝１０°のとき、θ０≦１７．５°であれば、第二面３３で跳ね返った（反射された）雨水等は、当該第二面３３の上方に位置する第一面３２に衝突して、当該第一面３２の外側（手前側）に跳ね返されることになる。
さらにまた、θ＝４５°、θｉｎ＝１５°のとき、θ０≦１５°であれば、第二面３３で跳ね返った（反射された）雨水等は、当該第二面３３の上方に位置する第一面３２に衝突して、当該第一面３２の外側（手前側）に跳ね返されることになる。
【００３０】
さらにまた、θ＝４５°、θｉｎ＝２０°のとき、θ０≦１２．５°であれば、第二面３３で跳ね返った（反射された）雨水等は、当該第二面３３の上方に位置する第一面３２に衝突して、当該第一面３２の外側（手前側）に跳ね返されることになる。
さらにまた、θ＝４５°、θｉｎ＝２５°のとき、θ０≦１０°であれば、第二面３３で跳ね返った（反射された）雨水等は、当該第二面３３の上方に位置する第一面３２に衝突して、当該第一面３２の外側（手前側）に跳ね返されることになる。
さらにまた、θ＝４５°、θｉｎ＝３０°のとき、θ０≦７．５°であれば、第二面３３で跳ね返った（反射された）雨水等は、当該第二面３３の上方に位置する第一面３２に衝突して、当該第一面３２の外側（手前側）に跳ね返されることになる。
【００３１】
一方、最も上方に位置する第二面３３で跳ね返った（反射された）雨水等は、図６に示すように、当該第二面３３の上方に位置する第一の壁面２３に衝突して、当該第一の壁面２３の外側（手前側）に跳ね返されることになる。また、当該第一の壁面２３に沿って上方に駆け上がった雨水等は、当該第一の壁面２３の上方に位置する第二の壁面２４に衝突して、当該第二の壁面２４の下側（下方）に跳ね返されることになる。そして、通風口４１からは、空気のみが取り入れられることになる。
【００３２】
つぎに、図７から図９を用いて、本実施形態に係る防雨ルーバー１０の製造方法を説明する。
まずはじめに、ルーバー本体１１となる部分が、図７に示すように、一方向（図７において上下方向）に沿って複数個（本実施形態では８個）並ぶとともに、隣り合うルーバー本体１１の第三の壁面２２の下端と、第二の壁面２４の先端とが、すなわち、通風口４１となる部分が、連結部材５１で結合されるようにして一体成形された成形体６１を、例えば、射出成形にて作製する。
【００３３】
つぎに、図８に示すように、隣り合うルーバー本体１１同士を連結している連結部材５１を切り離し（取り除き）、成形体６１を複数個に分離されたルーバー本体１１にする。
つづいて、図９に示すように、複数個の階段状ブロック体１２を別途作製し、ルーバー本体１１の傾斜面２１の表面（上面）全体に、階段状ブロック体１２の傾斜面３１の裏面（下面）全体が接するようにして、ルーバー本体１１と階段状ブロック体１２とを、例えば、接着剤や結合ピン等を用いてそれぞれ接合し、複数個の羽根体１３（図４または図６参照）を作製する。
【００３４】
そして、これら複数個の羽根体１３を、図４または図６に示すように、上下方向（あるいは鉛直方向）に積み重ねるようにして配置し、平面視矩形状を呈するフレーム（図示せず）を介して結合して、防雨ルーバー１０の製造を終了する。
【００３５】
本実施形態に係る防雨ルーバー１０によれば、羽根体１３を構成するルーバー本体１１が、階段状ブロック体１２の裏面全体がその表面全体に接合される傾斜面２１と、第一の壁面２３と、第二の壁面２４とを備えたシンプルな形状となるので、構造が簡単で、大量生産に適した防雨ルーバー１０を提供することができる。
また、第二面３３で跳ね返った（反射された）雨水等は、例えば、図６に示すように、当該第二面３３の上方に位置する第一面３２に衝突して、当該第一面３２の外側（手前側）に跳ね返され、最も上方に位置する第二面３３で跳ね返った（反射された）雨水等は、例えば、図６に示すように、当該第二面３３の上方に位置する第一の壁面２３に衝突して、当該第一の壁面２３の外側（手前側）に跳ね返されるとともに、当該第一の壁面２３に沿って上方に駆け上がった雨水等は、当該第一の壁面２３の上方に位置する第二の壁面２４に衝突して、当該第二の壁面２４の下側（下方）に跳ね返されることになる。そして、通風口４１からは、空気のみが取り入れられることになり、通風口４１からの雨水等の進入を防止することができる。
【００３６】
また、本実施形態に係る防雨ルーバー１０によれば、第二面３３が、θｉｎ＋２×θ０≦θという関係式を満たすように傾斜させられているので、水平面Ｈに対する雨水等の入射角度（進入角度）θｉｎが、例えば、３０°以下の非常に小さい場合でも、第二面３３で跳ね返った（反射された）雨水等を、当該第二面３３の上方に位置する第一面３２に最も効果的に衝突させることができて、通風口４１からの雨水等の進入をより確実に防止することができる。
【００３７】
本実施形態に係る防雨ルーバー１０の製造方法によれば、一度に複数個作製されたルーバー本体１１に階段状ブロック体１２をそれぞれ接合して複数個の羽根体１３とし、これら羽根体１３を、上下方向に積み重ねるようにして配置し、平面視矩形状を呈するフレームを介して結合するだけで防雨ルーバー１０を簡単に作製することができる。
【００３８】
一方、本実施形態に係る防雨ルーバー１０が、高所に配置されて風速が速くなり、雨水等の入射角度（進入角度）が小さくなる風力発電用風車１のナセル４に適用された場合でも、通風口４１からの雨水等の進入をより確実に防止することができ、ナセル４の内部に配置された各種機器に雨水等がかからないようにすることができる。
【００３９】
〔第２実施形態〕
本発明の第２実施形態に係る防雨ルーバーについて、図１０および図１１を参照しながら説明する。
図１０は本実施形態に係る防雨ルーバーの製造工程を説明するための図、図１１は本実施形態に係る防雨ルーバー、および本実施形態に係る防雨ルーバーの製造工程を説明するための図である。
図１１に示すように、本実施形態に係る防雨ルーバー７０は、ルーバー本体１１の傾斜面２１が、階段の「蹴上げ」に対応する第一面３２と、階段の「踏み面」に対応する第二面３３とが、それぞれ複数個（本実施形態では５個）ずつ交互になるようにして形成された階段面８１とされ、階段状ブロック体１２が省略されているという点で上述した第１実施形態のものと異なる。すなわち、本実施形態に係る防雨ルーバー７０は、ルーバー本体７１からなる羽根体７３が、上下方向（あるいは鉛直方向）に複数個（本実施形態では８個）積み重ねるようにして構成されたものである。
【００４０】
なお、本実施形態において、第一面３２は、第二面３３の外側（手前側）に位置する一端（外側端：外方端）全体にわたってその上端全体が連続するようにして接続され、第三の壁面２２の上端全体、または第二面３３の内側（奥側）に位置する他端（内側端：内方端）全体にわたってその下端全体が連続するようにして接続されている。
【００４１】
また、本実施形態において、第二面３３は、第一面３２の上端全体にわたってその外側（手前側）に位置する一端（外側端：外方端）全体が連続するようにして接続され、第一の壁面２３の下端全体、または第一面３２の下端全体にわたってその内側（奥側）に位置する他端（内側端：内方端）全体が連続するようにして接続されている。さらに、第二面３３は、図５に示すように、水平面Ｈとのなす小さい方の角度が所定の角度θ０になるようにして第一面３２と接続されている。さらにまた、本実施形態では、第一面３２の下端をすべて含む平面が、水平面Ｈに対して所定の角度（θ＝４５°）傾斜するようにして設定されている。
【００４２】
つぎに、図１０および図１１を用いて、本実施形態に係る防雨ルーバー７０の製造方法を説明する。
まずはじめに、ルーバー本体７１となる部分が、図１０に示すように、一方向（図１０において上下方向）に沿って複数個（本実施形態では８個）並ぶとともに、隣り合うルーバー本体７１の第三の壁面２２の下端と、第二の壁面２４の先端とが、すなわち、通風口４１（図１１参照）となる部分が、連結部材５１で結合されるようにして一体成形された成形体８１を、例えば、射出成形にて作製する。
【００４３】
つぎに、図１１に示すように、隣り合うルーバー本体７１同士を連結している連結部材５１を切り離し（取り除き）、成形体８１を複数個に分離されたルーバー本体７１にする。
そして、これら複数個のルーバー本体７１からなる羽根体７３を上下方向（あるいは鉛直方向）に積み重ねるようにして配置し、平面視矩形状を呈するフレーム（図示せず）を介して結合して、防雨ルーバー７０の製造を終了する。
【００４４】
本実施形態に係る防雨ルーバー７０によれば、羽根体７３を構成するルーバー本体７１が、階段面８１と、第一の壁面２３と、第二の壁面２４とを備えたシンプルな形状となるので、構造が簡単で、大量生産に適した防雨ルーバー７０を提供することができる。
また、第二面３３で跳ね返った（反射された）雨水等は、例えば、図６に示すように、当該第二面３３の上方に位置する第一面３２に衝突して、当該第一面３２の外側（手前側）に跳ね返され、最も上方に位置する第二面３３で跳ね返った（反射された）雨水等は、例えば、図６に示すように、当該第二面３３の上方に位置する第一の壁面２３に衝突して、当該第一の壁面２３の外側（手前側）に跳ね返されるとともに、当該第一の壁面２３に沿って上方に駆け上がった雨水等は、当該第一の壁面２３の上方に位置する第二の壁面２４に衝突して、当該第二の壁面２４の下側（下方）に跳ね返されることになる。そして、通風口４１からは、空気のみが取り入れられることになり、通風口４１からの雨水等の進入を防止することができる。
【００４５】
また、本実施形態に係る防雨ルーバー７０によれば、第二面３３が、θｉｎ＋２×θ０≦θという関係式を満たすように傾斜させられているので、水平面Ｈに対する雨水等の入射角度（進入角度）θｉｎが、例えば、３０°以下の非常に小さい場合でも、第二面３３で跳ね返った（反射された）雨水等を、当該第二面３３の上方に位置する第一面３２に最も効果的に衝突させることができて、通風口４１からの雨水等の進入をより確実に防止することができる。
【００４６】
本実施形態に係る防雨ルーバー７０の製造方法によれば、一度に複数個作製されたルーバー本体７１からなる羽根体７３を、上下方向に積み重ねるようにして配置し、平面視矩形状を呈するフレームを介して結合するだけで防雨ルーバー７０を簡単に作製することができる。
【００４７】
一方、本実施形態に係る防雨ルーバー７０が、高所に配置されて風速が速くなり、雨水等の入射角度（進入角度）が小さくなる風力発電用風車１のナセル４に適用された場合でも、通風口４１からの雨水等の進入をより確実に防止することができ、ナセル４の内部に配置された各種機器に雨水等がかからないようにすることができる。
【００４８】
なお、本発明は上述した実施形態に限定されるものではなく、本発明の要旨を逸脱しない範囲で各種変更・変形が可能である。
例えば、上述した実施形態では、図１２にθａで示す角度と、θｂで示す角度とが等しいものを一具体例として挙げて説明したが、本発明はこれに限定されるものではなく、θａ＞θｂやθａ＜θｂといった関係、すなわち、θａで示す角度と、θｂで示す角度とが等しくなくても（θａ≠θｂという関係にあっても）よい。
ここで、θａ、θｂはそれぞれ、第一面３２と第二面３３との交点から傾斜面２１へ垂直に下ろした線によって二分割された角度のことである。
【００４９】
また、上述した実施形態では、第三の壁面２２と第一の壁面２３との間の全体にわたって階段状ブロック体１２または階段面８１が設けられたものを一具体例として挙げて説明したが、本発明はこれに限定されるものではなく、図１３に示すように、第三の壁面２２の下方に位置して前後方向（水平方向）および左右方向（幅方向：横方向）に延びる第四の壁面（第三の壁面）２５の先端と、第二の壁面２４の先端との間に部分的に、階段状ブロック体１２または階段面８１を設けるようにしてもよい。
これにより、階段状ブロック体１２または階段面８１が設けられる範囲を狭くすることができて、製造コストを低減させることができる。
【符号の説明】
【００５０】
１  風力発電用風車
１０  防雨ルーバー
１２  階段状ブロック体
１３  羽根体
２１  傾斜面
２２  第三の壁面
２３  第一の壁面
２４  第二の壁面
２５  第四の壁面
３２  第一面
３３  第二面
７０  防雨ルーバー
７３  羽根体
８１  階段面
Ｈ  水平面
【図１】
2013139674.tif 000003
【図２】
2013139674.tif 000004
【図３】
2013139674.tif 000005
【図４】
2013139674.tif 000006
【図５】
2013139674.tif 000007
【図６】
2013139674.tif 000008
【図７】
2013139674.tif 000009
【図８】
2013139674.tif 000010
【図９】
2013139674.tif 000011
【図１０】
2013139674.tif 000012
【図１１】
2013139674.tif 000013
【図１２】
2013139674.tif 000014
【図１３】
2013139674.tif 000015